(57)【要約】【課題】地上から屋根の雪降ろしが容易にできるとともに、屋根から落ちてきた雪塊が雪降ろしをしている者に当たることがない除雪スコップを提供すること。【解決手段】吐き出し部１２２は、スコップ本体１０の略中心から除雪部１２０の後端部左右端にそれぞれ延びる分割側辺１２２ａと、スコップ本体１０の略中心から除雪部１２０の左右側縁にそれぞれ延びる雪受け側辺１２２ｂと、を有し、分割側辺１２２ａは、分割頂辺１２１となだらかな面によって連なり、雪受け側辺１２２ｂは、雪受け側辺１２２ｂとなだらかな面によって連なり、分割頂辺１２１、分割側辺１２２ａ及び雪受け側辺１２２ｂは、雪受け部１１１上面を含む面に対して、分割頂辺１２１、分割側辺１２２ａ及び雪受け側辺１２２ｂの順に大きい角度で傾斜している。【選択図】図１
0003167448.tif 000002
【実用新案登録請求の範囲】
【請求項１】
建築物の屋根に積もった雪に差し込まれるスコップ本体と、前記スコップ本体にその先端が固定された把持部と、を備えた除雪スコップであって、
前記スコップ本体は、その前端部から雪に差し込まれる差し込み部と、前記差し込み部の後端部から連なり、前記差し込み部に載置された雪を前記スコップ本体の外部に吐き出す除雪部と、を備え、
前記差し込み部は、雪を受ける平面状の雪受け部と、前記雪受け部の左右方向縁部が上方に曲折された立ち上がり部と、を備え、
前記除雪部は、前記スコップ本体の略中心からその後端部略中心に延びる分割頂辺により左右に分けられ、前記スコップ本体の前記雪受け部で受けた雪を吐き出す吐き出し部を左右両側にそれぞれ備え、
当該吐き出し部は、前記スコップ本体の略中心から前記除雪部の後端部左右端にそれぞれ延びる分割側辺と、前記スコップ本体の略中心から前記除雪部の左右側縁にそれぞれ延びる雪受け側辺と、を有し、
前記分割側辺は、前記分割頂辺となだらかな面によって連なり、
前記雪受け側辺は、前記雪受け部となだらかな面によって連なり、
前記分割頂辺、前記分割側辺及び前記雪受け側辺は、前記雪受け部上面を含む面に対して、前記分割頂辺、前記分割側辺及び前記雪受け側辺の順に大きい角度で傾斜していることを特徴とする除雪スコップ。
【考案の詳細な説明】
【技術分野】
【０００１】
本考案は、除雪スコップに関し、詳細には建築物の屋根に積もった雪に差し込まれるスコップ本体と、スコップ本体にその先端が固定された把持部と、を備えた除雪スコップに関する。
【背景技術】
【０００２】
従来より、屋根の除雪は、屋根に登りスコップやスノーダンプを用いて、屋根に積もった雪を屋根の下に落とすことにより行われる。この屋根の除雪は、雪降ろしと呼ばれ、重労働ではあるが、雪が屋根に降り積もり続けた場合、家屋が雪の重みで倒壊するおそれがあるため、行わざるを得ない作業である。
このため、雪降ろしを少しでも容易にするため、様々な提案がなされている。
例えば、特許文献１には、建築物の屋根の上面部に形成された突条部が収納されうる凹部が縁部に形成されたスコップが提案されている。
この特許文献１のスコップは、屋根の上面部に形成された突条部にスコップの凹部を係合させ、屋根の上下方向に摺動させることで屋根の除雪が行えるので、雪降ろしが容易になる。
【先行技術文献】
【特許文献】
【０００３】
【特許文献１】特開２００４−２１８３８８号公報
【考案の概要】
【考案が解決しようとする課題】
【０００４】
しかしながら、雪が積もった屋根の上は、下方に向かって斜めに勾配している上に、雪や氷により大変滑りやすい。そのため、毎年、雪降ろしの作業中に、屋根から落下し、骨折や絶命する者が後を絶たない。
そこで、地上から屋根の雪降ろしをすることができれば、屋根から落下して怪我等をすることがなくなる。一方、地上から屋根の雪降ろしをした場合、屋根から落ちてきた雪塊が雪降ろしをしている者に当たるおそれがある。
【０００５】
本考案は、地上から屋根の雪降ろしが容易にできるとともに、屋根から落ちてきた雪塊が雪降ろしをしている者に当たることがない除雪スコップを提供することを目的とする。
【課題を解決するための手段】
【０００６】
建築物の屋根に積もった雪に差し込まれるスコップ本体と、前記スコップ本体にその先端が固定された把持部と、を備えた除雪スコップであって、
前記スコップ本体は、その前端部から雪に差し込まれる差し込み部と、前記差し込み部の後端部から連なり、前記差し込み部に載置された雪を前記スコップ本体の外部に吐き出す除雪部と、を備え、
前記差し込み部は、雪を受ける平面状の雪受け部と、前記雪受け部の左右方向縁部が上方に曲折された立ち上がり部と、を備え、
前記除雪部は、前記スコップ本体の略中心からその後端部略中心に延びる分割頂辺により左右に分けられ、前記スコップ本体の前記雪受け部で受けた雪を吐き出す吐き出し部を左右両側にそれぞれ備え、
当該吐き出し部は、前記スコップ本体の略中心から前記除雪部の後端部左右端にそれぞれ延びる分割側辺と、前記スコップ本体の略中心から前記除雪部の左右側縁にそれぞれ延びる雪受け側辺と、を有し、
前記分割側辺は、前記分割頂辺となだらかな面によって連なり、
前記雪受け側辺は、前記雪受け部となだらかな面によって連なり、
前記分割頂辺、前記分割側辺及び前記雪受け側辺は、前記雪受け部上面を含む面に対して、前記分割頂辺、前記分割側辺及び前記雪受け側辺の順に大きい角度で傾斜していることを特徴とする除雪スコップ。
【０００７】
本考案によれば、以下のように除雪作業ができる。
除雪作業者は、地上から建築物の屋根面に沿って下から上に向けて、屋根に積もった雪にスコップ本体の差し込み部を差し込み、さらに、建築物の屋根面に沿って下から上に向けて、差し込み部を押し込む。これにより、雪受け部に載置された雪が除雪部に押し出され、分割頂辺により左右に分けられるとともに、吐き出し部に沿って屋根に積もった雪の上に雪塊となって吐き出され、屋根の下に落下する。このとき、除雪部に押し出された雪は分割頂辺により左右に分けられているので、雪塊は除雪作業者を避けて、除雪作業者の左右両側に落下する。
【考案の効果】
【０００８】
本考案によれば、地上から屋根の雪降ろしが容易にできるとともに、屋根から落ちてきた雪塊が雪降ろしをしている者に当たることがない除雪スコップを提供できる。
【図面の簡単な説明】
【０００９】
【図１】本考案の実施形態の除雪スコップの斜視図である。
【図２】上記実施形態の除雪スコップの側面図である。
【図３】棒状体の先端部の断面図である。
【図４】本実施形態の変形例である除雪スコップの斜視図である。
【考案を実施するための形態】
【００１０】
以下、本考案の実施形態について説明する。
図１は、本考案の実施形態の除雪スコップ１の斜視図である。
本実施形態の除雪スコップ１は、建築物の屋根に積もった雪に差し込まれるスコップ本体１０と、スコップ本体１０にその先端が固定された把持部２０と、を備える。
【００１１】
スコップ本体１０は、略矩形状の板状体であるアルミパネルが曲折されて形成されている。スコップ本体１０は、その前端部（図１中Ｆ側）から雪に差し込まれる差し込み部１１０と、差し込み部１１０の後端部（図１中Ｂ側）から連なり、差し込み部１１０に載置された雪をスコップ本体１０の外部に吐き出す除雪部１２０と、把持部２０が貫通する貫通孔１３０と、を備える。
差し込み部１１０は、雪を受ける平面状の雪受け部１１１と、雪受け部１１１の左右方向（図１中ＬＲ方向）縁部が上方（図１中Ｕ側）に曲折された立ち上がり部１１２と、を備える。
立ち上がり部１１２は、差し込み部１１０の前後方向（図１中ＦＢ方向）に沿って延び、雪に差し込まれる前端部（図１中Ｆ側）が雪受け部１１１の上面に対して略９０度で形成され、後端部（図１中Ｂ側）に向かって徐々に外側（図１中ＬＲ方向）に向かって開くように形成されている。このように形成することで、雪に差し込み易く、雪受け部１１１で受けた雪を崩して除雪できるので、除雪作業の労力を軽減できる。
【００１２】
除雪部１２０は、スコップ本体１０の略中心からその後端部（図１中Ｂ側）略中心に延びる分割頂辺１２１により分けられる、左除雪部１２０Ｌと右除雪部１２０Ｒとを有する。
左除雪部１２０Ｌは、スコップ本体１０の外部に雪を吐き出す吐き出し部１２２を備える。吐き出し部１２２は、スコップ本体１０の略中心からその後端部左端ＬＢＰに延びる分割側辺１２２ａと、スコップ本体１０の略中心からその左側側縁ＬＳＰに延びる雪受け側辺１２２ｂと、を有する。
分割側辺１２２ａは、分割頂辺１２１となだらかな面によって連なっている。
雪受け側辺１２２ｂは、差し込み部１１０の雪受け部１１１の左側（図１中Ｌ側）部分となだらかな面によって連なっている。
【００１３】
分割頂辺１２１、分割側辺１２２ａ及び雪受け側辺１２２ｂは、差し込み部１１０の雪受け部１１１上面を含む面に対して所定の角度で傾斜する辺である。
図２は、上記実施形態の除雪スコップ１の側面図である。
図２において、点線は雪受け部１１１上面を含む面を示す。
分割頂辺１２１の雪受け部１１１上面を含む面に対する角度Ｒ１は、３５度〜４５度である。
分割側辺１２２ａの雪受け部１１１上面を含む面に対する角度Ｒ２は、２５度〜３０度である。
雪受け側辺１２２ｂの雪受け部１１１上面を含む面に対する角度Ｒ３は、１５度〜２０度である。
すなわち、分割頂辺１２１、分割側辺１２２ａ及び雪受け側辺１２２ｂは、雪受け部１１１上面を含む面に対して、分割頂辺１２１、分割側辺１２２ａ及び雪受け側辺１２２ｂの順に大きい角度で傾斜している。
また、吐き出し部１２２は、雪受け部１１１上面を含む面に対して１５度〜３０度の間で上方に傾斜する斜面である。
右除雪部１２０Ｒは、左除雪部１２０Ｌと左右対称の同様の構成であるので説明を省略する。
【００１４】
このように、分割頂辺１２１を最も高い位置まで曲折することで、雪受け部１１１で受けた雪を左右の左除雪部１２０Ｌ及び右除雪部１２０Ｒ（図１参照）に分けることができる。また、吐き出し部１２２を雪受け部１１１上面に対して上方に傾斜させることで、雪受け部１１１で受けた雪を屋根に積もっている雪の上に吐き出すことができる。
【００１５】
図１に戻って、把持部２０は、棒状体２１０と、棒状体２１０の先端部（図１中Ｆ側端部）に設けられた羽根部２２０と、を備える。
棒状体２１０は、３．５ｍ〜４．５ｍの筒状の棒状体である。
棒状体２１０の先端部は、スコップ本体１０の貫通孔１３０を貫通し、スコップ本体１０の差し込み部１１０を左右（図１中ＲＬ方向）略均等に分ける位置に配置され、ボルト２３０により、差し込み部１１０に固定されている。
羽根部２２０は、台形形状の板状体であり、上下方向（図１中ＵＢ方向）に立設し、その縁が差し込み部１１０の前後方向（図１中ＦＢ方向）に沿って設けられている。これにより、差し込み部１１０に入ってきた雪を左右方向に分断できる。すなわち、雪塊を分断し扱い易くできるので、除雪作業の労力を軽減できる。
【００１６】
図３は、棒状体２１０の先端部の断面図である。
棒状体２１０の先端部には、棒状体２１０の内部に木製の心棒２１０ａが挿入され、棒状体２１０の外周及び心棒２１０ａにおいて前後方向（図１中ＦＢ方向）に形成された溝部に羽根部２２０が挿入され接着材で固定されている。
【００１７】
次に、上記実施形態の除雪スコップ１の変形例である除雪スコップ１Ａについて説明する。
図４は、本実施形態の変形例である除雪スコップ１Ａの斜視図である。
除雪スコップ１Ａは、除雪スコップ１（図１参照）とは、差し込み部の立ち上がり部及び除雪部の分割頂辺の構成が異なる。
除雪スコップ１Ａの差し込み部１１０Ａの立ち上がり部１１２Ａは、差し込み部１１０Ａの前後方向（図４中ＦＢ方向）に対してハの字形状に拡がるように延び、雪に差し込まれる前端部（図４中Ｆ側）が雪受け部１１１Ａの上面からハの字形状に拡がるように形成されている。
除雪スコップ１Ａは、分割頂辺１２１Ａにおいて、除雪部１２０が左右（図４中ＬＲ）に分断されている。
これにより、除雪スコップを略矩形状の板状体から製作する際に、左右毎に板状体を曲折できるので、除雪スコップの製作が容易になる。
【００１８】
次に、上記実施形態の除雪スコップ１による除雪作業について説明する。
除雪作業者は、建築物の軒下に立ち、除雪スコップ１の把持部２０を持ち、建築物の屋根面に沿って下から上に向けて、屋根に積もった雪にスコップ本体１０の差し込み部１１０を差し込む。これにより、差し込み部１１０の雪受け部１１１に屋根に積もった雪の一部が載置される。そして、除雪作業者は、さらに、建築物の屋根面に沿って下から上に向けて、差し込み部１１０を押し込む。これにより、雪受け部１１１に載置された雪は、押し込まれたことにより入ってきた雪によって除雪部１２０に押し出される。除雪部１２０に押し出された雪は、分割頂辺１２１により左右に分けられるとともに、吐き出し部１２２に沿って屋根に積もった雪の上に雪塊となって吐き出され、屋根の下に落下する。このとき、除雪部１２０に押し出された雪は分割頂辺１２１により左右に分けられているので、雪塊は除雪作業者を避けて、除雪作業者の左右両側に落下する。
このように、上記実施形態によれば、地上から屋根の雪降ろしが容易にできるとともに、屋根から落ちてきた雪塊が雪降ろしをしている者に当たることがない除雪スコップを提供できる。
【符号の説明】
【００１９】
１        除雪スコップ
１０      スコップ本体
２０      把持部
１１０    込み部
１１１    雪受け部
１１２    上がり部
１２０    除雪部
１２１    分割頂辺
１２２    吐き出し部
１２２ａ  分割側辺
１２２ｂ  雪受け側辺
【図１】
0003167448.tif 000003
【図２】
0003167448.tif 000004
【図３】
0003167448.tif 000005
【図４】
0003167448.tif 000006